(57)【要約】  本開示は、スペクトル管理装置と方法、無線ネットワーク管理装置と方法、及び媒体に関する。一実施例によれば、スペクトル管理のための電子機器は処理回路を含む。処理回路は、１つまたは複数の第１のスペクトル管理ノードにスペクトル需給情報を送信し、及び／又は、１つまたは複数の第１のスペクトル管理ノードからスペクトル需給情報を受信するように、制御を行うように配置される。スペクトル需給情報は、電子機器及び／又は第１のスペクトル管理ノードによって管理される無線ネットワーク管理ノードのスペクトル需給に関連する。
2021524172.tif 000002
【特許請求の範囲】
【請求項１】
スペクトル管理のための電子機器であって、
処理回路を含み、前記処理回路は、
１つまたは複数の第１のスペクトル管理ノードにスペクトル需給情報を送信する、及び／又は、前記１つまたは複数の第１のスペクトル管理ノードからスペクトル需給情報を受信するように、制御を行うように配置されており、
前記スペクトル需給情報は、前記電子機器及び／又は前記第１のスペクトル管理ノードによって管理される無線ネットワーク管理ノードのスペクトル需給に関連する電子機器。
【請求項２】
前記スペクトル需給情報は、スペクトル譲渡情報、及びスペクトル需要情報の少なくとも一方を含む請求項１に記載の電子機器。
【請求項３】
前記処理回路は、さらに、
前記スペクトル需給情報に基づいて、前記電子機器及び／又は前記第１のスペクトル管理ノードによって管理される無線ネットワーク管理ノードに対するスペクトル割り当て方式を決定し、
決定されたスペクトル割り当て方式を示す情報を、前記第１のスペクトル管理ノードに送信するように制御を行う、ように配置される請求項１に記載の電子機器。
【請求項４】
前記処理回路は、さらに、
前記第１のスペクトル管理ノードが前記電子機器及び／又は前記第１のスペクトル管理ノードによって管理される無線ネットワーク管理ノードに対して決定したスペクトル割り当て方式の情報を受信するように、制御を行い、
前記第１のスペクトル管理ノードによって決定されたスペクトル割り当て方式を検証する、ように配置される請求項１に記載の電子機器。
【請求項５】
前記処理回路は、
特定のユーザ機器のスペクトル使用を保証するか、又は、前記特定のユーザ機器への干渉が所定の範囲内となる、及び
スペクトル割り当てが前記無線ネットワーク管理ノードのスペクトル需給を満たすという条件に従って、前記第１のスペクトル管理ノードによって決定されるスペクトル割り当て方式を検証するように配置される請求項４に記載の電子機器。
【請求項６】
前記処理回路は、さらに、
前記電子機器によって決定されたスペクトル割り当て方式の情報、又は、前記第１のスペクトル管理ノードによって決定され検証されたたスペクトル割り当て方式の情報を記憶するように、制御を行うように配置される請求項４に記載の電子機器。
【請求項７】
ブロックチェーンの形で前記記憶を行う請求項６に記載の電子機器。
【請求項８】
前記処理回路は、さらに、
特定の時間帯内に複数の新しいスペクトル割り当て方式の情報を受信した場合に、リリース時間が最も早い一つを選択して前記検証を行うように配置される請求項６に記載の電子機器。
【請求項９】
前記処理回路は、さらに、
同じブロック番号の複数の新しいスペクトル割り当て方式の情報を受信した場合に、リリース時間が最も早い１つを選択して前記検証を行うように配置される請求項７に記載の電子機器。
【請求項１０】
前記処理回路は、さらに、
新しいスペクトル割り当て方式の情報を受信したタイムウィンドウ識別子が、現在記憶されているスペクトル割り当て方式の情報のタイムウィンドウ識別子と連続していない場合に、前記第１のスペクトル管理ノードに情報同期の要求を送信するように、制御を行うように配置される請求項６に記載の電子機器。
【請求項１１】
前記処理回路は、さらに、
新しいスペクトル割り当て方式の情報を受信したブロック番号が、現在記憶されているブロックチェーンの番号と連続していない場合に、前記第１のスペクトル管理ノードに情報同期の要求を送信するように、制御を行うように配置される請求項７に記載の電子機器。
【請求項１２】
前記処理回路は、さらに、
所定数のスペクトル割り当て方式の情報を新たに記憶した場合に、前記所定数のスペクトル割り当て方式の情報に先行するスペクトル割り当て方式の情報が指示するスペクトル割り当て方式を、前記電子機器によって管理される無線ネットワーク管理ノードに通知するように、制御を行うように配置される請求項６に記載の電子機器。
【請求項１３】
前記処理回路は、さらに、
所定数のブロックを新たに記憶した場合に、前記所定数のブロックに先行するブロックが指示するスペクトル割り当て方式を、前記電子機器によって管理される無線ネットワーク管理ノードに通知するように、制御を行うように配置される請求項７に記載の電子機器。
【請求項１４】
前記電子機器は、第２のスペクトル管理ノードとして作動する請求項１〜１３のいずれか一項に記載の電子機器。
【請求項１５】
前記電子機器は、スペクトルアクセスシステムＳＡＳ又は共存マネージャーＣｘＭの側に配置され、且つ、前記無線ネットワーク管理ノードは、市民ブロードバンド無線サービスデバイスＣＢＳＤを含む請求項１〜１３のいずれか一項に記載の電子機器。
【請求項１６】
前記電子機器は、Ｃ３エンティティの側に配置され、且つ、前記無線ネットワーク管理ノードは、無線アクセスシステムＷＡＳ又は無線ローカルエリアネットワークＲＬＡＮを含む請求項１〜１３のいずれか一項に記載の電子機器。
【請求項１７】
スペクトル管理方法であって、
第２のスペクトル管理ノードにより、１つまたは複数の第１のスペクトル管理ノードにスペクトル需給情報を送信する、及び／又は、前記１つまたは複数の第１のスペクトル管理ノードからスペクトル需給情報を受信することを含み、
前記スペクトル需給情報は、前記第２のスペクトル管理ノード及び／又は前記第１のスペクトル管理ノードによって管理される無線ネットワーク管理ノードのスペクトル需給に関連するスペクトル管理方法。
【請求項１８】
前記スペクトル需給情報に基づいて、前記第２のスペクトル管理ノード及び／又は前記第１のスペクトル管理ノードによって管理される無線ネットワーク管理ノードに対するスペクトル割り当て方式を決定し、
決定されたスペクトル割り当て方式を示す情報を、前記第１のスペクトル管理ノードに送信する、ことをさらに含む請求項１７に記載の方法。
【請求項１９】
前記第１のスペクトル管理ノードが前記第２のスペクトル管理ノード及び／又は前記第１のスペクトル管理ノードによって管理される無線ネットワーク管理ノードに対して決定したスペクトル割り当て方式の情報を受信し、
前記第１のスペクトル管理ノードによって決定されたスペクトル割り当て方式を検証する、ことをさらに含む請求項１７に記載の方法。
【請求項２０】
無線ネットワーク管理装置であって、
処理回路を含み、前記処理回路は、
スペクトル管理ノードにスペクトル需給情報を送信するように、制御を行い、
前記スペクトル管理ノードからスペクトル割り当て方式を指示する情報を受信するように、制御を行う、ように配置されており、
前記スペクトル割り当て方式は、少なくとも部分的に前記スペクトル需給情報に基づいて決定される無線ネットワーク管理装置。
【請求項２１】
無線ネットワーク管理方法であって、
スペクトル管理ノードにスペクトル需給情報を送信し、
前記スペクトル管理ノードからスペクトル割り当て方式を指示する情報を受信する、ことを含み、
前記スペクトル割り当て方式は、少なくとも部分的に前記スペクトル需給情報に基づいて決定される無線ネットワーク管理方法。
【請求項２２】
情報処理装置によって実行される場合、前記情報処理装置に請求項１７、１８、１９又は２１に記載の方法を実行させる実行可能な命令を含むコンピュータ読み取り可能な媒体。
【発明の詳細な説明】
【技術分野】
【０００１】
本開示は、一般に、無線通信分野に関する。より具体的に、スペクトル管理のための電子機器、スペクトル管理方法、無線ネットワーク管理装置、無線ネットワーク管理方法、及びコンピュータ可読媒体に関する。
【背景技術】
【０００２】
無線装置の数および無線サービスの多様性の急速な成長に伴い、スペクトル不足の問題はますます深刻になっている。有望な解決策は、スペクトルを共有することであり、共存協調を通じて複数のシステム間でターゲット周波数帯域の共有を実現し、リソースの使用効率が向上する。現在共有のためにオープンされている周波数帯域はアンライセンスバンド（Ｕｎｌｉｃｅｎｓｅｄ  Ｆｒｅｑｕｅｎｃｙ  Ｂａｎｄ）と呼ばれ、例えば、３．５ＧＨｚ、５ＧＨｚ、６ＧＨｚなどを含む。
【０００３】
現在の共有スペクトル割り当てシステムは、中央制御の方法を採用し、即ち、１つの中央サーバを使用して例えばインカンベント（Ｉｎｃｕｍｂｅｎｔ）ユーザの干渉保護条件を動的に取得し、各レベルのシステムの情報を収集し、Ｉｎｃｕｍｂｅｎｔユーザの干渉保護条件を満たすことを前提として、各レベルのシステムにリソースを割り当てる。中央制御の方法は、次の側面で欠点がある。
ロバスト性：管理ノードが損傷したり失ったりすると、システム全体の運行に影響を与える。
公正性：割り当て権力が集中するため、真の公平性を実現することは困難である。
複雑性：算出能力が集中するため、大規模ネットワークの性能を保証することは困難である。
経済性：運営・保守コストが高いため、スペクトルの使用コストが高くなり、共有スペクトルサービスの規模化に不利である。
拡張性：共有スペクトルサービスは、複雑な申請と承認プロセスを必要とし、共有サービスのニーズの多様性の実現に不利である。
【発明の概要】
【発明が解決しようとする課題】
【０００４】
以上の問題の少なくとも一部に対して本発明を提案する。本発明は、分散型共有スペクトル管理方案を提案する。分散型共有スペクトル管理システムは、スペクトル管理ノードと、無線ネットワーク管理ノードとを含み得る。スペクトル管理ノードは、スペクトル管理と分散型システム管理とを担当し、無線ネットワーク管理ノードはスペクトル管理ノードからスペクトルを取得し、管理のユーザ機器にサービスする。複数のスペクトル管理ノードは、連携しながら、スペクトル割り当て操作を公平で、効率的に行うことを共同でメンテナンスする。
【０００５】
以下では、本発明に関する簡単な概説を提供し、本発明の幾つかの局面に関する基本的理解を提供する。この概説が本発明に関する取り尽くし的概説ではないと理解すべきである。それは、本発明の肝心又は重要部分を意図的に特定するものではなく、本発明の範囲を意図的に限定するものでもない。その目的は、簡素化の形式で、幾つかの概念を提供して、後論述するより詳しい技術の前言とするものである。
【０００６】
一実施例によれば、スペクトル管理のための電子機器は処理回路を含む。処理回路は、１つまたは複数の第１のスペクトル管理ノードにスペクトル需給情報を送信する、及び／又は、１つまたは複数の第１のスペクトル管理ノードからスペクトル需給情報を受信するように、制御を行うように配置される。スペクトル需給情報は、電子機器及び／又は第１のスペクトル管理ノードによって管理される無線ネットワーク管理ノードのスペクトル需給に関連する。
【０００７】
他の一実施例によれば、スペクトル管理方法は、第２のスペクトル管理ノードにより、１つまたは複数の第１のスペクトル管理ノードにスペクトル需給情報を送信する、及び／又は、１つまたは複数の第１のスペクトル管理ノードからスペクトル需給情報を受信するステップを含む。スペクトル需給情報は、第２のスペクトル管理ノード及び／又は第１のスペクトル管理ノードによって管理される無線ネットワーク管理ノードのスペクトル需給に関連する。
【０００８】
更なる一実施例によれば、無線ネットワーク管理装置は処理回路を含む。処理回路は、スペクトル管理ノードにスペクトル需給情報を送信するように、制御を行い、スペクトル管理ノードからスペクトル割り当て方式を指示する情報を受信するように、制御を行う、ように配置される。スペクトル割り当て方式は、少なくとも部分的にスペクトル需給情報に基づいて決定される。
【０００９】
さらに更なる一実施例によれば、無線ネットワーク管理方法は、スペクトル管理ノードにスペクトル需給情報を送信し、スペクトル管理ノードからスペクトル割り当て方式を指示する情報を受信するステップを含む。スペクトル割り当て方式は、少なくとも部分的にスペクトル需給情報に基づいて決定される。
【００１０】
本開示実施例は、情報処理装置によって実行される場合、情報処理装置に本開示の実施例による方法を実行させる実行可能な命令を含むコンピュータ読み取り可能な媒体をさらに含む。
【００１１】
本開示の実施例によれば、スペクトル割り当て操作を公平且つ効率的に行うことができる。
【図面の簡単な説明】
【００１２】
本発明は、以下の図面に基づく説明を参照することによりよく理解できる。なお、全ての図面において、同一又は類似する部品を同一又は類似する符号で示している。前記図面は以下の詳細説明と共に本明細書に含まれ本明細書の一部として構成されており、更に例を挙げることにより本発明の好適な実施例を説明し、本発明の原理と利点を解釈する。図面において、
【００１３】
【図１】図１は、本発明の一実施例によるスペクトル管理のための電子機器の構成例を示すブロック図である。
【図２】図２は、他の一実施例によるスペクトル管理のための電子機器の構成例を示すブロック図である。
【図３】図３は、更なる実施例によるスペクトル管理のための電子機器の構成例を示すブロック図である。
【図４】図４は、本発明の一実施例によるスペクトル管理方法のプロセス例を示すフローチャートである。
【図５】図５は、他の一実施例によるスペクトル管理方法のプロセス例を示すフローチャートである。
【図６】図６は、更なる一実施例によるスペクトル管理方法のプロセス例を示すフローチャートである。
【図７】図７は、本発明の一実施例による無線ネットワーク管理装置の構成例を示すブロック図である。
【図８】図８は、本発明の一実施例による無線ネットワーク管理方法のプロセス例を示すフローチャートである。
【図９】図９は、分散型スペクトル管理プロトコルスタックの例を示す。
【図１０】図１０は、分散型スペクトル管理システムの構成例を示す。
【図１１】図１１は、スペクトル台帳の構造の例を示す。
【図１２】図１２は、スペクトルブロックの構造の例を示す。
【図１３】図１３は、ペクトル掲示板の例を示す。
【図１４】図１４は、スペクトル掲示板を更新するプロセス例を示す。
【図１５】図１５は、スペクトル管理ノード間の情報インタラクト流れの例を示す。
【図１６】図１６は、スペクトルブロック（マイニング）の流れの例を示す。
【図１７】図１７は、スペクトル割り当て実行の流れの例を示す。
【図１８】図１８は、分散型スペクトル割り当てのプロセス例を示す。
【図１９】図１９は、分散型スペクトル割り当てのプロセス例を示す。
【図２０】図２０は、分散型スペクトル割り当てのプロセス例を示す。
【図２１】図２１は、リソース管理のための論理エンティティの構成例を示す。
【図２２】図２２は、異なる市民ブロードバンド無線サービスデバイス（ＣＢＳＤ）  間の共存を示す。
【図２３】図２３は、本開示の方法及び装置を実現するコンピュータの概略的構成を示すブロック図である。
【図２４】図２４は、本開示の内容を応用できるスマートフォンの概略的構成を示すブロック図である。
【図２５】図２５は、本開示の内容を応用できるｇＮＢ（５Ｇシステムにおける基地局）の概略的構成を示すブロック図である。
【発明を実施するための形態】
【００１４】
以下、図面を参照しながら本発明の実施例を説明する。本発明の一つの図面又は一実施形態に記載の要素及び特徴は、一つ又はより多くのその他の図面又は実施形態に示された要素及び特徴と相互に結合することができる。なお、明確にするために、図面及び明細書において本発明に関係しない、当業者にとって公知の部品及び処理の表示及び記載が省略されている。
【００１５】
図１に示すように、本実施例によるスペクトル管理のための電子機器１００は、処理回路１１０を含む。処理回路１１０は、例えば、特定のチップ、チップセット又はＣＰＵ（Ｃｅｎｔｒａｌ  Ｐｒｏｃｅｓｓｉｎｇ  Ｕｎｉｔ）などとして実現できる。
【００１６】
処理回路１１０は、制御ユニット１１１を含む。なお、図面において機能ブロックの形で、例えば、制御ユニット１１１及び他のユニットを示したが、各ユニットの機能は、処理回路により全体として実現することもでき、必ず処理回路における独立した実際の部品により実現するとは限らない。また、図面に一つのブロックで処理回路を示したが、電子機器は、複数の処理回路を含んでもよく、制御ユニット１１１及び他のユニットの機能を複数のプロセッサに分散することができ、これにより、複数の処理回路は連携しながら操作してこれらの機能を実行する。
【００１７】
実施例による電子機器１００は、例えばスペクトル管理ノードとして作動する。
【００１８】
より具体的に、一実施例による電子機器１００は、３．５ＧＨｚ周波数帯域の市民ブロードバンド無線サービス（ＣＢＲＳ）に適用されてもよく、電子機器１００はペクトルアクセスシステム（ＳＡＳ）又は共存マネージャー（ＣｘＭ）側に配置されてもよく、且つ、それが管理する無線ネットワーク管理装置は市民ブロードバンド無線サービスデバイス（ＣＢＳＤ）を含んでもよい。
【００１９】
他の一実施例による電子機器１００は、５ＧＨｚ広帯域システム（Ｂｒｏａｄｂａｎｄ  Ｓｙｓｔｅｍ）に適用されてもよく、電子機器１００は、Ｃ３エンティティの側に配置されてもよく、且つ、それが管理する無線ネットワーク管理装置は、無線アクセスシステム（ＷＡＳ）又は無線ローカルエリアネットワーク（ＲＬＡＮ）を含んでもよい。
【００２０】
本開示では、３．５ＧＨｚと５ＧＨｚを例にとって説明するが、本開示はこれに限定されず、同様に他のアンライセンスバンドにも適用する。また、本発明の実施例では、アンライセンススペクトルの使用は、対応するアンライセンススペクトルにおける使用要求、例えば、当該バンドにおけるインカンベントユーザ（Ｉｎｃｕｍｂｅｎｔ  ｕｓｅｒ）の保護や、優先度の高いユーザの保護を満たす。
【００２１】
また、本発明の実施例による電子機器は、スペクトル管理ノード（例えばＳＡＳ／ＣｘＭ）の一部として実現してもよいし、スペクトル管理ノードと独立して実現してもよい。
【００２２】
制御ユニット１１１は、（電子機器１００に対応するスペクトル管理ノードを除く）１つまたは複数のスペクトル管理ノードにスペクトル需給情報を送信する、及び／又は、この１つまたは複数のスペクトル管理ノードからスペクトル需給情報を受信するように、制御を行うように配置される。スペクトル需給情報は、電子機器１００及び／又は上記の１つまたは複数のスペクトル管理ノードによって管理される無線ネットワーク管理ノード（ＷＮＭ）のスペクトル需給に関連する。
【００２３】
スペクトル需給情報は、例えば、スペクトル譲渡情報、及びスペクトル需要情報の少なくとも一方を含む。
【００２４】
より具体的に、スペクトル譲渡情報は、例えば、スペクトル情報、及び譲渡ノード情報を含む。スペクトル情報は、スペクトル使用制約を満たすスペクトル割り当の算出を行うために用いられ、例えば、スペクトルのタイプ、スペクトルの範囲、利用可能な時間範囲、使用のタイプ、利用可能な位置範囲、及び譲渡ノード位置情報のうちの１つ又は複数を含む。譲渡ノード情報は、スペクトル取引の算出、及びスペクトル割り当て方式情報（以下の実施例では、スペクトルブロックとも呼ばれる）の生成のために用いられ、例えば、譲渡情報をリリースするタイムスタンプ、譲渡ノードアドレス（或いは、ＩＤ）、課金標準のうちの１つ又は複数を含む。譲渡されるスペクトルは未占有の（ｕｎｏｃｃｕｐｉｅｄ）スペクトル又は占有のスペクトルであり得る。未占有のスペクトルであると、譲渡ノードはスペクトル管理ノード（ＳＭ）であってもよく、占有のスペクトルであると、譲渡ノードはＷＮＭであってもよい。
【００２５】
スペクトル需要情報は、例えば、スペクトル情報、及び需要ノード情報を含む。スペクトル情報は、スペクトル使用制約を満たすスペクトル割り当の算出を行うために用いられ、例えば、スペクトルのタイプ、スペクトルの範囲、利用可能な時間範囲、使用のタイプ、需要ノード位置情報を含む。需要ノード情報は、スペクトル取引プロトコルの算出、及びスペクトル割り当て方式情報（或いは、スペクトルブロック）の生成のために用いられ、例えば、需要情報をリリースするタイムスタンプ、需要者のアドレス、支払い基準のうちの１つ又は複数を含む。需要ノードはＷＮＭであってもよい。
【００２６】
本実施例によれば、スペクトル管理ノードの間でスペクトル需給情報を送受信することにより、スペクトル管理ノードが連携しながらスペクトル割り当てを共同でメンテナンスすることが可能となる。
【００２７】
また、一実施例によれば、さらに、スペクトル需給情報に基づいてスペクトル割り当て方式を決定してもよい。
【００２８】
図２に示すように、本実施例によるスペクトル管理のための電子機器２００は、処理回路２１０を含む。処理回路２１０は、制御ユニット２１１と、決定ユニット２１３とを含む。制御ユニット２１１の一部の機能は、以上で説明した制御ユニット１１１と類似する。
【００２９】
決定ユニット２１３は、スペクトル需給情報に基づいて、電子機器２００及び／又は（電子機器２００に対応するスペクトル管理ノードを除く）スペクトル管理ノードによって管理される無線ネットワーク管理ノードに対するスペクトル割り当て方式を決定するように配置される。
【００３０】
また、制御ユニット２１１は、さらに、決定ユニット２１３によって決定されたスペクトル割り当て方式を示す情報を、電子機器２００に対応するスペクトル管理ノードを除いたスペクトル管理ノードに送信するように、制御を行うように配置される。
【００３１】
言い換えれば、本実施例による電子機器２００は、スペクトル割り当て方式を決定し（幾つかの例示的な実施例において、「マイニング」と呼ばれ、即ち、スペクトルブロックを生成する）、スペクトル割り当て方式の情報を（幾つかの例示的な実施例において、スペクトルブロックとも呼ばれる）生成するために用いられる。
【００３２】
より具体的に、スペクトルブロックの生成（マイニング）とは、スペクトル管理ノードがスペクトル管理ノードの間で共有する情報（幾つかの例示的な実施例において、スペクトル掲示板と呼ばれる）におけるスペクトル需給関係、及び無線ネットワーク管理ノードのスペクトル使用状態に応じて、スペクトル譲渡ノード／需要ノードに新しいスペクトル割り当て情報を生成することを指す。スペクトル需給に加えて、当該割り当て結果は、スペクトル使用制約条件を満たす必要がある。幾つかの例示的な実施例において、スペクトルブロックを生成するスペクトル管理ノードは、マイナーノード、又は、スーパーノードとも呼ばれる。
【００３３】
例として、図１３は、スペクトル掲示板に含まれる情報を概略的に示し、その中の１つのタイプはスペクトル使用制約情報であり、即ち、Ｉｎｃｕｍｂｅｎｔユーザに対する保護要求、又は、優先度の高いセカンダリユーザに対する保護要求（例えば、参照ポイントとアグリゲーション干渉の上限によって特徴付けられる）、及び算出方法である。Ｉｎｃｕｍｂｅｎｔユーザステータスの情報は、システムによって許可される正当なＩｎｃｕｍｂｅｎｔ情報ソースから取得でき、時間の経過に伴って動的に変化し得る。また、以上で既にスペクトル供給情報及びスペクトル需要情報の例について記述したが、ここで重複しない。
【００３４】
例として、図１４は、スペクトル掲示板をメンテナンスする流れを示した。
【００３５】
図１４におけるＩｎｃｕｍｂｅｎｔ情報ソースは、Ｉｎｃｕｍｂｅｎｔ保護情報を生成し、スペクトル管理ノードにＩｎｃｕｍｂｅｎｔ保護情報をリリースする。
【００３６】
また、スペクトル譲渡ノードはスペクトル譲渡情報を生成し（１’）、スペクトル譲渡ノードはスペクトル管理ノードにスペクトル譲渡情報をリリースし（２’）、スペクトル需要ノードはスペクトル需要情報を生成し（１''）、スペクトル需要ノードはスペクトル管理ノードにスペクトル需要情報をリリースする（２''）。
【００３７】
スペクトル管理ノードは情報を受信して、スペクトル掲示板を更新し（３）、この時間を更新タイムスタンプＴｕｐｄａｔｅとして設定する。このようにすれば、ネットワーク全体のノードはこの情報を取得できる。
【００３８】
図１５は、スペクトル管理ノードの間の情報インタラクト流れの例を示す。
【００３９】
図１５に示すように、１つのスペクトル管理ノード（例えば、マイナーノード）は、他のスペクトル管理ノードにスペクトル掲示板情報を要求し（１）、この要求には、前回でこの情報を更新したタイムスタンプを含んでもよい。他のスペクトル管理ノードは、要求におけるタイムスタンプＴｒｅｑと、スペクトル掲示板における更新タイムスタンプＴｕｐｄａｔｅとを比較することにより、応答を生成し、Ｔｒｅｑ≧Ｔｕｐｄａｔｅであると、更新を必要としないことを指示するように応答し、Ｔｒｅｑ<Ｔｕｐｄａｔｅであると、Ｔｒｅｑの後の掲示板情報を応答として生成する（２）。他のスペクトル管理ノードは、マイナーノードにスペクトル掲示板情報の応答をリリースする。マイナーノードは他のスペクトル管理ノードにスペクトルブロックチェーン情報を要求する流れは類似するので、ここで繰り返しない。
【００４０】
以上、スペクトル割り当て方式を決定する電子機器（例えば、前記マイナーノード）の例示的な実施例を記述した。また、本発明の実施例は、スペクトル割り当て方式の決定を行わず、他のスペクトル管理ノードからスペクトル割り当て方式を取得する電子機器をさらに含む。
【００４１】
図３に示すように、本実施例によるスペクトル管理のための電子機器３００は、処理回路３１０を含む。処理回路３１０は、制御ユニット３１１と、検証ユニット３１３とを含む。
【００４２】
制御ユニット３１１の一部の機能は、以上で説明した制御ユニット１１１と類似する。
【００４３】
また、制御ユニット３１１は、さらに、（電子機器３００に対応するスペクトル管理ノードを除く）スペクトル管理ノードが電子機器３００及び／又は其他スペクトル管理ノードによって管理される無線ネットワーク管理ノードに対して決定したスペクトル割り当て方式の情報を受信するように、制御を行うように配置される。
【００４４】
検証ユニット３１３は、受信した情報が指示するスペクトル割り当て方式を検証するように配置される。
【００４５】
より具体的に、検証ユニット３１３は、特定のユーザ機器のスペクトル使用を保証するか、または、特定のユーザ機器への干渉が所定の範囲内となり、及び、スペクトル割り当てが無線ネットワーク管理ノードのスペクトル需給を満たすという条件に従って、スペクトル割り当て方式を検証してもよい。
【００４６】
スペクトル割り当て方式の検証は、スペクトル割り当て情報に対してスペクトル使用制約条件算出を行うことで、当該スペクトルが利用可能な時間範囲内で出力アドレスに対応する無線ネットワーク管理ノード、及び他の使用条件を満たす無線ネットワーク管理ノードに同時に使用される際に、スペクトル掲示板において制約されるスペクトル使用制約条件を満たすかどうかを決定することを含んでもよい。
【００４７】
また、一実施例によれば、電子機器３００は、さらに、スペクトル割り当て方式（以上で説明した電子機器２００と類似する）を決定するように配置されてもよく、そして、制御ユニット３１１は、さらに、電子機器３００によって決定されたスペクトル割り当て方式の情報、又は、検証された、他のスペクトル管理ノードによって決定されたスペクトル割り当て方式の情報を記憶するように、制御を行うように配置されてもよい。
【００４８】
例として、ブロックチェーンの形でスペクトル割り当て方式情報を記憶してもよい。続いて、ブロックチェーンについて簡単に説明する。
【００４９】
ブロックチェーンは、ビットコイン等のデジタル暗号通貨の人気の高まりとともに徐々に出現した新しい技術であり、分散化、信頼の蓄積を必要としない信用確立パラダイムを提供し、現在、金融業界、科学研究機関、政府機関、投資会社の大きな注目を集め広く注目されている。ブロックチェーン技術は、共同でメンテナンスされ改ざんできないデータベースを確立することにより過去のすべての取引レコードと履歴データを記録し、すべてのデータは分散して保存され、且つオープンで透明である。このような技術において、任意の互いに知らないネットワークユーザは、中央の信頼機関がなくても、契約、ポイントツーポイントの会計、デジタル暗号化などの方式を通じて信用のコンセンサスに達することができる。このような技術において、デジタル通貨、デジタル資産、スマート財産、スマート契約などを確立できる。
【００５０】
ブロックチェーンは、分散化、信頼できるデータベース、オープンソースのプログラマブル、コレクティブメンテナンス、安全信頼、取引匿名性などの特性を有している。ロバスト性、公平、簡単、経済的、拡張可能な管理システムを実現するために優れた基盤を提供する。ただし、ブロックチェーンの現在のアプリケーションシナリオと共有スペクトルのアプリケーションシナリオには重要な違いがあり、ブロックチェーンは主に金融通貨や著作権の保護などのシナリオに適用されるため、資産またはオブジェクトの一意性という特性がある。取引のコンプライアンスを検証することは比較的に簡単であり、例えば、仮想通貨の振替取引の場合、資本流出者が当該仮想通貨の所有権を持ち、且つ、振替取引を行うのに十分な仮想通貨を持っていることを確認するだけで済む。ブロックチェーンの設計における重要な問題は、取引が改ざん不可能で、遡及可能であることを保証することに加えて、同じ通貨の二重支払い（ｄｏｕｂｌｅ-ｓｐｅｎｄｉｎｇ）を可能とすることを避けることである。
【００５１】
ブロックチェーンを分類する方法は複数ある。１つの分類方法では、ブロックチェーンのアプリケーション範囲と発展段階とに応じて分類し、ブロックチェーンアプリケーションを、ブロックチェーン１．０、２．０、３．０に分類する。ブロックチェーン１．０は仮想通貨アプリケーション、つまり、振替、送金、デジタル化支払いに関する暗号通貨アプリケーションをサポートする。ビットコインは、ブロックチェーン１．０の典型的なアプリケーションである。ブロックチェーン２．０は、スマート契約アプリケーションをサポートし、契約は、経済、市場、金融のブロックチェーンアプリケーションの基盤となる。ブロックチェーン２．０は、株式、ローン、抵当、財産権、スマート財産、及びスマート契約を含む。ブロックチェーン３．０アプリケーションは、通貨、金融、市場の範囲を超える、分散化されるアプリケーションであり、特に、政府、健康、科学、文化、芸術の分野でのアプリケーションである。
【００５２】
別の分類方法では、ブロックチェーン展開モードに応じて分類し、ブロックチェーンを、パブリックブロックチェーン（ｐｕｂｌｉｃ  ｂｌｏｃｋｃｈａｉｎ）、コンソーシアムブロックチェーン（ｃｏｎｓｏｒｔｉｕｍ  ｂｌｏｃｋｃｈａｉｎ）、及びプライベートブロックチェーン（ｐｒｉｖａｔｅ  ｂｌｏｃｋｃｈａｉｎ）に分類する。パブリックブロックチェーンはネットワークアーキテクチャモードであり、このモードにおいて、ネットワークの所有者が存在せず、ネットワークが完全に外部にオープンされる。ネットワークにおける各ノードは、同じ権限を選択的に持つことができる。このような「完全に分散化された」ブロックチェーンネットワークでは、全てのノードはブロックチェーンデータを読み書きでき、記帳の候補ノードとしてコンセンサスプロセスに参加し、台帳の生成と記帳に参加する機会がある。コンソーシアムブロックチェーンは、ネットワークのアーキテクチャモードであり、このモードにおいて、ネットワークは、一つのコンソーシアムによって共有され、コンソーシアムメンバーのみが利用できる。ネットワークにおける各ノードには異なる権限が付与される。このような「部分的に分散された」ブロックチェーンネットワークにおいて、ノードは、付与された権限に応じてブロックチェーンデータを読み書き、コンセンサスプロセスに参加し、台帳の生成及び記帳に参加する。プライベートブロックチェーンはネットワークのアーキテクチャモードであり、このモードにおいて、ネットワークは、１人の所有者に属し、所有者のメンバーのみが利用できる。ネットワークにおける各ノードには異なる権限が付与される。このような「部分的に集中化された」ブロックチェーンネットワークでは、ノードは、所有者に付与された特権に応じて、ブロックチェーンデータを読み書き、コンセンサスプロセスに参加し、台帳の生成及び記帳に参加する。
【００５３】
本発明の一実施例では、ブロックチェーンシステムに基づいて、ＩＰ通信プロトコル及び分散型ネットワークを基に、ネットワーク通信に構築され、完全にインターネットを介して情報をやりとりする。図９は、ブロックチェーン１．０に基づく分散型スペクトル管理システムプロトコルスタックの模示図を示す。このプロトコルスタックは例示的であり、本発明の実施例は任意のブロックチェーンバージョンに適用可能であることに留意されたい。
【００５４】
図１０は、本発明の実施例を適用できる分散型スペクトル管理システムの構造を示し、なお、論理エンティティは、Ｉｎｃｕｍｂｅｎｔ情報ソース、スペクトル管理ノード及び無線ネットワーク管理ノードを含む。
【００５５】
より具体的に、Ｉｎｃｕｍｂｅｎｔ情報ソースは、スペクトル管理ノードにＩｎｃｕｍｂｅｎｔユーザ状態を提供する。スペクトル管理ノードはスペクトル割り当て情報をブロックでカプセル化し、このカプセル化されるブロックはスペクトルブロック（Ｓｐｅｃｔｒｕｍ  Ｂｌｏｃｋ）と呼ばれる。スペクトルブロックは、ブロックチェーンをベースのプロトコルとしてリンクして、スペクトルブロックチェーン（Ｓｐｅｃｔｒｕｍ  Ｂｌｏｃｋｃｈａｉｎ）、又はスペクトル台帳（Ｓｐｅｃｔｒｕｍ  Ｌｅｄｇｅｒ）を構成する。スペクトル台帳は、ネットワークにおける複数のスペクトル管理ノードによって共同でメンテナンスされる。無線ネットワーク管理ノードは無線ネットワークのアクセスポイントであり、例えば、ｅＮＢや、ＷｉＦｉ−ＡＰ、ＣＢＳＤであってもよい。無線ネットワーク管理ノードは、スペクトル管理ノードからスペクトルを取得し、管理されるユーザ機器にサービスする。スペクトル需給操作に応じて、無線ネットワーク管理ノードは、スペクトル譲渡ノードであってもよいし、スペクトル需要ノードであってもよい。
【００５６】
図１０に示す構造は、スペクトル管理ノードの所属に応じて、パブリックブロックチェーン、コンソーシアムブロックチェーン、プライベートブロックチェーンの構造に分類できる。スペクトル管理ノードが公衆にオープンできると、パブリックブロックチェーン構造であり、スペクトル管理ノードがコンソーシアムのメンバーを構成すると、コンソーシアムブロックチェーン構造であり、スペクトル管理ノードがある組織によって所有されると、プライベートブロックチェーン構造である。Ｉｎｃｕｍｂｅｎｔユーザのセキュリティ保護を考慮して、配置方式は、コンソーシアムブロックチェーン又はプライベートブロックチェーンの方式の採用が適し、スペクトル管理ノードはコンソーシアム又は組織によって所有され、Ｉｎｃｕｍｂｅｎｔ情報リソースはスペクトル管理ノードとインターフェースを確立するだけである。
【００５７】
本発明の実施例において使用されるデータ情報は、スペクトル台帳及びスペクトル掲示板を含んでもよい。以上で、スペクトル掲示板の例について説明したが、ここで重複しない。スペクトル台帳の概略的構造は、図１１に示すようである。スペクトル台帳は、スペクトルブロックチェーンをリンクすることで形成され、そのリンクポインターは暗号学的ハッシアルゴリズムを採用してブロックヘッダを処理することで生成されるブロックヘッダハッシュ値である。スペクトルブロックは、ブロックヘッダ（Ｂｌｏｃｋ  Ｈｅａｄ）と、ブロックボディ（Ｂｌｏｃｋ  Ｂｏｄｙ）からなる。台帳全体の最初のブロックはジェネシスブロック（Ｇｅｎｅｓｉｓ  Ｂｌｏｃｋ）と呼ばれる。
【００５８】
ブロックヘッダは、ブロックの間をリンクし、検証を簡略化するために使用されるブロック全体のハッシュ値を含む。ブロックボディの構造は、主に、基本的なデータブロックを含む。また、各ブロック内のデータ情報が改ざんされないことを保証するために、ハッシュ（Ｈａｓｈ）アルゴリズムからなるツリー情報構造を採用して基本的なデータを処理してもよい。図１２を参照して、例示的なＭｅｒｋｌｅハッシュツリーは、ハッシュ値に基づくバイナリツリー又はマルチプルツリーであり、そのリーフノードの値はデータブロックのハッシュ値であり、非リーフノードの値は当該ノードの全てのサブノードを組み合わせた結果のハッシュ値である。ツリー全体のルートノード（ＲＯＯＴ）はブロックヘッダに記憶され、各ブロック内のデータ情報が改ざんされたかどうかを快速に検証するために用いられ、ツリーの他のノードはブロックボディに記憶される。
【００５９】
普通のブロックチェーンとの相違は、ブロックボディに含まれるのはスペクトル割り当て関連情報であることにあり、この情報は、例えば、スペクトル及び配置（スペクトル範囲、最大利用可能なパワー、利用可能な時間範囲）、入力がスペクトル譲渡ノードを示し、出力がスペクトル需要ノードを示すことを含む。ブロックチェーン保護プライバシーモデルに従って、入力と出力はそれぞれスペクトル譲渡ノード／スペクトル需要ノードのアドレスと位置情報であり、このアドレスは当該ノードの公開鍵で表される。
【００６０】
図１６は、スペクトルブロック（マイニング）を生成するプロセス例を示す。
【００６１】
図１６に示すように、マイナーノードはスペクトル掲示板における算出方法を利用して、スペクトル掲示板におけるスペクトル需給関係、及びスペクトル台帳における他の無線ネットワーク管理ノードのスペクトル使用状態に応じて、スペクトル譲渡ノード／需要ノードに対して新しいスペクトル割り当て情報を生成し、この割り当て結果はスペクトル掲示板におけるスペクトル使用制約条件を満たす必要がある。マイナーノードは制約を満たすスペクトル割り当てを算出すると、それをスペクトルブロックにカプセル化する（１）。
【００６２】
次に、マイナーノードは、スペクトルブロックをスペクトル管理ノードからなるネットワークにブロードキャストする（２）。
【００６３】
次に、他のスペクトル管理ノードは、ブロードキャストされたスペクトルブロックを受信し、受信した最初のスペクトルブロックを検証し、検証結果が正当であると、このスペクトルブロックをスペクトル台帳の末尾に追加する（３）。
【００６４】
スペクトル台帳データの記憶について、記憶データ量の違いによって、スペクトル管理ノードは、さらに、フルノードと軽量ノードとに分類できる。フルノードは現在のすべての無線ネットワークノードスペクトル使用状態を含むスペクトルブロック情報を記憶してもよく（例えば、ジェネシスブロックからのすべてのスペクトルブロックチェーンデータを含んでもよい）、利点は、スペクトルブロックの生成、または、スペクトルブロックデータの検証操作を行う場合にローカルに記憶されているスペクトルブロックチェーン及びスペクトル掲示板に基づくだけで完成できることである。軽量ノードは、一部のスペクトルブロック情報のみを記憶し、他のデータが必要な場合に、他のスペクトル管理ノードに対して必要なデータを要求して対応する操作を完成してもよい。
【００６５】
図３を続けて参照すると、一実施例によれば、検証ユニット３１３は、特定の時間帯内に複数の新しいスペクトル割り当て方式情報を受信した場合に、リリース時間が最も早い１つを選択して検証するように配置される。
【００６６】
ブロックチェーンの形で記憶する実施例について、同じブロック番号の複数の新しいスペクトル割り当て方式情報を受信した場合に、検証ユニット３１３は、リリース時間が最も早い１つを選択して検証してもよい。
【００６７】
また、一実施例によれば、制御ユニット３１１は、新しいスペクトル割り当て方式情報を受信したタイムウィンドウ識別子が現在記憶されているスペクトル割り当て方式情報のタイムウィンドウ識別子と連続していない場合に、他のスペクトル管理ノードに情報同期の要求を送信するように、制御を行うように配置されてもよい。
【００６８】
ブロックチェーンの形で記憶する実施例について、制御ユニット３１１は、新しいスペクトル割り当て方式情報を受信したブロック番号が現在記憶されているブロックチェーンの番号と連続していない場合に、他のスペクトル管理ノードに情報同期の要求を送信するように、制御を行うように配置されてもよい。
【００６９】
また、一実施例によれば、制御ユニット３１１は、所定数のスペクトル割り当て方式情報が新たに記憶した場合に、この所定数のスペクトル割り当て方式情報に先行するスペクトル割り当て方式情報が指示するスペクトル割り当て方式を、電子機器３００によって管理される無線ネットワーク管理ノードに通知するように、制御を行うように配置されてもよい。
【００７０】
ブロックチェーンの形で記憶する実施例について、制御ユニット３１１は、所定数のスペクトル割り当て方式情報が新たに記憶した場合に、この所定数のブロックに先行するブロックが指示するスペクトル割り当て方式を、電子機器３００によって管理される無線ネットワーク管理ノードに通知するように、制御を行うように配置されてもよい。
【００７１】
例として、図１７は、スマート契約に基づいて実施するスペクトル割り当ての実行流れを示す。図１７に示すように、スペクトル管理ノードはスペクトル掲示板コンテンツを更新する（１）。特に、スペクトルブロックがスペクトル台帳の末尾に追加されると、スペクトル管理ノードは、掲示板に係るスペクトル譲渡／需要ノードとリソース需給要求をクリアして、その後のリソース割り当ての繰り返しを回避することができる。
【００７２】
次に、すべてのスペクトル管理ノードは、スペクトルブロックの第２の検証を完成し（２）、第２の検証は、正当性の検証と見なすことができる。具体的に、異なる地域にある２つのマイナーノードが２つの新しいブロックを同時に「マイニング」してリンクする場合があり、この場合、メインチェーンに「分岐」が生じることがある。システムは、どのブロックが不合理であるかをすぐに確認することなく、後続のマイナーが常に累積プルーフ・オブ・ワークが最大となるブロックチェーンを選択するように約束する（又は、他の方式、例えば、プルーフ・オブ・ステーク：ｐｒｏｏｆ  ｏｆ  ｓｔａｋｅを採用してもよい）。従って、メインチェーンが分岐した後、後続のブロックのマイナーは、算出及び比較を通じて、そのブロックチェーンを、現在に累積プルーフ・オブ・ワークが最大となる候補チェーンにリンクし、より長い新しいメインチェーンを形成し、自動的に分岐位置のショートチェーンを廃棄し、これにより、分岐の問題を解決する。上記の実施例によれば、プルーフ・オブ・ワークは、スペクトルブロックのうち満たすスペクトル需給ノードの数に基づいてもよく、数が多いほど、ワークが大きくなることを意味する。スペクトラムブロックがスペクトラム台帳の後にＸ個のブロックを新たに追加した場合、このスペクトラムブロックは第２の検証に合格したと考えられ、Ｘは例えば５である。
【００７３】
そして、スペクトル割り当てに係るスペクトル譲渡／需要ノードはスペクトル割り当ての再配置を完成する（３）。ブロックチェーンスペクトルブロックにおけるスペクトル割り当て情報は、実際にスマート契約（Ｓｍａｒｔ  Ｃｏｎｔｒａｃｔ）であり、当該契約は、係るノードの譲渡又はスペクトルの使用の条件を規定し、係るノードは、契約情報に応じて対応する配置を行う。
【００７４】
図１８は、分散型スペクトル割り当て、及び実行の例示的流れを示す。
【００７５】
プロセス（１）、（１’）、（１''）において、各スペクトル管理ノードは、一致するグローバルスペクトル需給情報を取得するように、各スペクトル管理ノードは、スペクトル管理ノードからなるネットワークにおいてローカルスペクトル需給情報をブロードキャストしてリリースする。
【００７６】
プロセス（２）において、マイナーノードは、スペクトル掲示板におけるスペクトル需給関係、及びスペクトル台帳における他の無線ネットワーク管理ノードのスペクトル使用状態に応じて、スペクトル譲渡ノード／需要ノードに対して新しいスペクトル割り当て情報を生成し、この割り当て結果は、スペクトル掲示板におけるスペクトル使用制約条件を満たさなければならない。現在のスペクトル台帳のうち最大のスペクトル割り当て番号が＃Ｎであると仮定する。マイナーノードは制約を満たすスペクトル割り当て結果を算出し、この結果をスペクトル割り当て＃Ｎ＋１にカプセル化する。
【００７７】
プロセス（３）において、マイナーノードは、スペクトル管理ノードからなるネットワークにおいてスペクトル割り当て＃Ｎ＋１をブロードキャストしてリリースする。
【００７８】
プロセス（４）において、スペクトル割り当て＃Ｎ＋１を受信したスペクトル管理ノードは、以下の操作を行う。
（ａ）スペクトル割り当て＃Ｎ＋１を選択し、複数のスペクトル割り当て＃Ｎ＋１があると、タイムスタンプが最も早いものを選択する。
（ｂ）選択されたスペクトル割り当て＃Ｎ＋１に対して第１の検証を行い、第１の検証は正当の検証と見なすことができる。第１の検証は、スペクトル割り当ての有効性、及びスペクトル割り当て＃Ｎ＋１とスペクトル台帳との一致性を含み得る。なお、スペクトル割り当ての有効性は、スペクトル割り当て結果がスペクトル掲示板におけるスペクトル使用制約条件を満たすかのことである。スペクトル割り当て＃Ｎ＋１とスペクトル台帳との一致性は、スペクトル割り当て＃Ｎ＋１に記憶されている前の１つのスペクトル割り当てのインデックスがスペクトル割り当て＃Ｎ＋１インデックスと一致するか、及び生成されたスペクトル割り当てのカプセル化が要求を満たすかのことである。
（ｃ）検証結果が正当であると、このスペクトルブロックをスペクトル台帳の末尾に追加し、それが有効なスペクトル割り当て＃Ｎ＋１であると確認する。
スペクトル管理ノードがマイナーノードであり、スペクトル割り当て＃Ｎ＋１が選択されると、上記の第１の検証のステップをスキップし、直接にステップ（ｃ）を行う。
【００７９】
プロセス（５）において、プロセス（４）と同様に、スペクトル割り当て＃Ｎ＋２を受信したスペクトル管理ノードは、スペクトル割り当て＃Ｎ＋２に対して第１の検証を行うことで、有効なスペクトル割り当て＃Ｎ＋２であると確認する。
【００８０】
プロセス（６）において、プロセス（５）と同様に、スペクトル割り当て＃Ｎ＋１＋Ｘが有効なスペクトル割り当てであることが確認されるまで、スペクトル管理ノードは、受信したスペクトル割り当てに対して第１の検証を行い、その中、Ｘは１以上の正の整数である。
【００８１】
プロセス（７）において、スペクトル割り当て＃Ｎ＋１は第２の検証に合格し、そのスペクトル割り当て結果の実行をトリガーする。一般に、スペクトラム割り当てがスペクトラム台帳の後にＸ個の新しいスペクトラム割り当てを新たに追加した場合、このスペクトラムブロックは第２の検証に合格したと考えられる。
【００８２】
図１９は、分散型スペクトル割り当て、及び実行の例示的な流れを示す。当該プロセスは、スペクトル割り当てがスペクトルブロックの形式でカプセル化されることを除いて、図１８に示すプロセスと同じであるので、ここで、その詳細の説明を省略する。
【００８３】
図２０は、分散型スペクトル割り当て、実行及び分岐処理のプロセス例を示す。
【００８４】
図２０に示すように、プロセス（１）において、各スペクトル管理ノードは、ブロードキャストを通じて、一致するグローバルスペクトル需給情報を取得する。
【００８５】
プロセス（２）、（２’）において、マイナーノード３と４は、スペクトル割り当て＃Ｎ＋１とスペクトル割り当て＃Ｎ＋１’とをそれぞれ生成する。
【００８６】
プロセス（３）、（３’）において、マイナーノード３と４は、生成したスペクトル割り当てをブロードキャストしてリリースする。
【００８７】
プロセス（４）、（４’）において、スペクトル割り当て＃Ｎ＋１及び／又は＃Ｎ＋１’を受信したスペクトル管理ノードは第１の検証を行う。ある理由によって、選択のスペクトル割り当てが異なる可能性がある。これらの理由は、例えば、伝送の遅延や失敗、＃Ｎ＋１と＃Ｎ＋１’とが同じ順序でスペクトル管理ノードに到着できないこと、又は全て各スペクトル管理ノードに到着することができないことを含む。結果として、スペクトル管理ノード２によって確認された有効スペクトル割り当て＃Ｎ＋１’は、他のスペクトル管理ノードによって確認された有効スペクトル割り当て＃Ｎ＋１と異なる。
【００８８】
プロセス（５）〜（７）において、スペクトル管理ノード２の他に、他のスペクトル管理ノードは、例えば、図１８における対応する流れに従ってスペクトル台帳を正常にメンテナンスする。
【００８９】
プロセス（５’）において、スペクトル管理ノード２は新しいスペクトル割り当て＃Ｎ＋２を受信し、検証に合格できず、これは、スペクトル割り当て＃Ｎ＋２の前の１つのノードはスペクトル割り当て＃Ｎ＋１であり、インデックス検証に合格できないためである。従って、スペクトル管理ノード２は、スペクトル割り当て＃Ｎ＋２を破棄しなければならない。
【００９０】
プロセス（６’）において、スペクトル管理ノード２が新しいスペクトル割り当て＃Ｎ＋３を受信すると、その番号がスペクトル台帳の最後のスペクトル割り当て＃Ｎ＋１’と連続していないことを発見し、これにより、スペクトル台帳にエラーが発生したことが確認された。従って、スペクトル管理ノード２は、他のスペクトル管理ノードにスペクトル台帳同期要求を送信して、スペクトル台帳の一致性を復元する。
【００９１】
スペクトル割り当てがスペクトルブロックの形でカプセル化される場合に、分散型スペクトル割り当て、実行及び分岐処理のプロセスは、スペクトル割り当ての形式がスペクトルブロックであることを除いて、図２０と類似するので、ここで、詳細の説明を省略する。
【００９２】
以上のように、本発明の実施例は３．５ＧＨｚ周波数帯域での市民ブロードバンド無線サービス又は５ＧＨｚ広帯域システムに適用できる。次に、この二つの適用実例についてさらに説明する。
【００９３】
実例一：３．５ＧＨｚのＣＢＲＳ
ＷＩＮＮＦ組織によって策定されるスペクトルアクセスシステム（ＳＡＳ）は、３．５ＧＨｚ周波数帯域での複数のシステム間の共存管理を研究している。アメリカでは、３．５ＧＨｚ周波数帯域は、アメリカ合衆国国防総省（Ｄｅｐａｒｔｍｅｎｔ  ｏｆ  Ｄｅｆｅｎｓｅ、ＤｏＤ）のレーダーシステムに使用されており、現在、連邦通信委員会（Ｆｅｄｅｒａｌ  Ｃｏｍｍｕｎｉｃａｔｉｏｎｓ  Ｃｏｍｍｉｓｓｉｏｎ、ＦＣＣ）は、当該周波数帯域をスペクトル共有方式で商用使用することを検討している。当該共有システムはＳＡＳの一部であり、３つのレベルを含む。
【００９４】
Ｉｎｃｕｍｂｅｎｔユーザは、最高のレベルを表し、ｉｎｃｕｍｂｅｎｔユーザは上記のＤｏＤレーダーシステム、固定衛星サービス（Ｆｉｘｅｄ  Ｓａｔｅｌｌｉｔｅ  Ｓｅｒｖｉｃｅ、ＦＳＳ）、及び限られた時間内のグランドテレストリラルワイヤレスオペレーション（ｇｒａｎｄｆａｔｈｅｒｅｄ  ｔｅｒｒｅｓｔｒｉａｌ  ｗｉｒｅｌｅｓｓ  ｏｐｅｒａｔｉｏｎｓ）を含む。
【００９５】
他は市民ブロードバンド無線サービスデバイス（Ｃｉｔｉｚｅｎｓ  Ｂｒｏａｄｂａｎｄ  Ｒａｄｉｏ  Ｓｅｒｖｉｃｅ  Ｄｅｖｉｃｅ、ＣＢＳＤ）と総称され、市民ブロードバンド無線サービスは、優先アクセスライセンス（ｐｒｉｏｒｉｔｙ  ａｃｃｅｓｓ  ｌｉｃｅｎｓｅ、ＰＡＬ）、及び一般認可アクセス（Ｇｅｎｅｒａｌ  Ａｕｔｈｏｒｉｚｅｄ  Ａｃｃｅｓｓ、ＧＡＡ）の２つのレベルをさらに含む。
【００９６】
スペクトルの使用において、ＩｎｃｕｍｂｅｎｔユーザをＣＢＳＤの有害な干渉から保護する必要があり、且つ、ＰＡＬをＧＡＡの有害な干渉から保護する必要がある。ＣＢＲＳは、国勢統計区（ｃｅｎｓｕｓ  ｔｒａｃｔ）の単位でリソース割り当てを行い、ＰＡＬは３５５０から３６５０ＭＨｚ範囲内のスペクトルを使用して、１０ＭＨｚの単位で３年を期限としてリリースされてもよく、各国勢統計区のすべてのＰＡＬが占めるスペクトルの合計は７０ＭＨｚを超えず、その中、各ＰＡＬのスペクトルは４０ＭＨｚを超えない。ＧＡＡは、高レベルのユーザに有害な干渉を発生させないこと保証することを前提として、３５５０から３７００ＭＨｚ範囲内のスペクトルを使用できる。リソース管理のための論理エンティティは、主に、ＳＡＳ、及びドメインプロキシ（Ｄｏｍａｉｎ  Ｐｒｏｘｙ）を含み、図２１を参照し、ドメインプロキシは、個体のＣＢＳＤ又はネットワークＣＢＳＤがＳＡＳとインタラクトしてＣＤＳＤにサービスを取得する。もちろん、ＣＢＳＤは、ドメインプロキシを利用せず、直接にＳＡＳとインタラクトしてサービスを取得してもよい。
【００９７】
ＣＢＲＳコンソーシアム（ＣＢＲＳ−Ａ）組織は、技術仕様（ＴＳ）を策定し、異なるＣＢＳＤの間の共存を提供する。ＣＢＲＳ−Ａによって管理される共存グループ（Ｃｏｅｘｉｓｔｅｎｃｅ  Ｇｒｏｕｐ、ＣｘＧ）における論理エンティティ共存マネージャー（Ｃｏｅｘｉｓｔｅｎｃｅ  Ｍａｎａｇｅｒ、ＣｘＭ）は、ＳＡＳに従う規則を担当し、ＧＡＡユーザの間の共存を管理し、図２２を参照する。
【００９８】
本発明の実施例を３．５ＧＨｚのＣＢＲＳに適用する場合に、前記ｉｎｃｕｍｂｅｎｔ情報ソースはＩｎｃｕｍｂｅｎｔ  Ｄｅｔｅｃｔｉｏｎ（ＥＳＣ）であってもよく、スペクトル割り当て装置ＳＭはＳＡＳ又はＣｘＭであってもよく、無線ネットワーク管理装置ＷＮＭはＣＢＳＤであってもよく、ユーザ機器ＵＥは端末のユーザ機器（ＥＵＤ）であってもよい。
【００９９】
実例二：５ＧＨｚ広帯域システム
欧州委員会（Ｅｕｒｏｐｅａｎ  Ｃｏｍｍｉｓｓｉｏｎ）の目標の１つは、５Ｇ広帯域システムに用いられる技術を開発することである。研究成果には、広帯域無線アクセスネットワーク（ＢＲＡＮ）の項目である５ＧＨｚ周波数帯域におけるＷＡＳ／ＲＬＡＮの中央連携を含む。
【０１００】
当該システムにおける管理のための論理エンティティはＣ３（中央コントローラとコーディネーター（Ｃｅｎｔｒａｌ  Ｃｏｎｔｒｏｌｌｅｒ  ａｎｄ  Ｃｏｏｒｄｉｎａｔｏｒ））と呼ばれ、具現化された物理エンティティはＣ３エンティティ（Ｃ３Ｉｎｓｔａｎｃｅ）と呼ばれる。Ｃ３エンティティの実現は、分散型の相互接続の複数のＣ３エンティティであってもよく、情報のインタラクトにより管理オブジェクトに対する中央協調を実現する。
【０１０１】
当該システムにおける管理オブジェクトはＷＡＳ／ＲＬＡＮと呼ばれる。
【０１０２】
本発明の実施例を５Ｇ広帯域システムに適用する場合に、前記ｉｎｃｕｍｂｅｎｔ情報ソースはシステムにおいて定義されるｉｎｃｕｍｂｅｎｔ情報ソースであってもよく、スペクトル割り当て装置ＳＭはＣ３エンティティであってもよく、無線ネットワーク管理装置ＷＮＭはＷＡＳ／ＲＬＡＮｓであってもよく、ユーザ機器ＵＥはＷＡＳ／ＲＬＡＮｓの加入者（Ｓｕｂｓｃｒｉｂｅｒ）であってもよい。
【０１０３】
以上の機器の実施例の記述で、明らかにプロセスと方法も開示している。次に、以上で記述した詳細を重複せず、本発明の実施例によるスペクトル管理方法について説明する。
【０１０４】
図４に示すように、一実施例によるスペクトル管理方法はステップＳ４１０を含み、Ｓ４１０において、第２のスペクトル管理ノードにより、１つまたは複数の第１のスペクトル管理ノードにスペクトル需給情報を送信し、且つ／又は、１つまたは複数の第１のスペクトル管理ノードからスペクトル需給情報を受信する。スペクトル需給情報は、第２のスペクトル管理ノード及び／又は第１のスペクトル管理ノードによって管理される無線ネットワーク管理ノードのスペクトル需給に関連する。
【０１０５】
図５に示すように、一実施例によるスペクトル管理方法は、ステップＳ４１０と類似するステップＳ５１０を含むことに加えて、Ｓ５２０とＳ５３０とをさらに含む。
【０１０６】
Ｓ５２０において、スペクトル需給情報に基づいて、第２のスペクトル管理ノード及び／又は第１のスペクトル管理ノードによって管理される無線ネットワーク管理ノードに対するスペクトル割り当て方式を決定する。
【０１０７】
Ｓ５３０において、決定されたスペクトル割り当て方式を示す情報を、第１のスペクトル管理ノードに送信する。
【０１０８】
図６に示すように、一実施例によるスペクトル管理方法は、ステップＳ４１０と類似するステップＳ６１０を含むことに加えて、Ｓ６２０とＳ６３０とをさらに含む。
【０１０９】
Ｓ６２０において、第１のスペクトル管理ノードが第２のスペクトル管理ノード及び／又は第１のスペクトル管理ノードによって管理される無線ネットワーク管理ノードに対して決定したスペクトル割り当て方式の情報を受信する。
【０１１０】
Ｓ６３０において、第１のスペクトル管理ノードによって決定されたスペクトル割り当て方式を検証する。
【０１１１】
また、本発明の実施例は無線ネットワーク管理装置をさらに含む。
【０１１２】
図７に示すように、一実施例による無線ネットワーク管理装置７００は処理回路７１０を含む。処理回路７１０は送信制御ユニット７１１と受信制御ユニット７１３とを含む。
【０１１３】
送信制御ユニット７１１は、スペクトル管理ノードにスペクトル需給情報を送信するように、制御を行うように配置される。受信制御ユニット７１３は、スペクトル管理ノードからスペクトル割り当て方式を指示する情報を受信するように、制御を行うように配置される。スペクトル割り当て方式は、少なくとも部分的にスペクトル需給情報に基づいて決定される。
【０１１４】
図８は、一実施例による無線ネットワーク管理方法を示し、Ｓ８１０とＳ８２０とを含む。
【０１１５】
Ｓ８１０において、スペクトル管理ノードにスペクトル需給情報を送信する。
【０１１６】
Ｓ８２０において、スペクトル管理ノードから、スペクトル割り当て方式を指示する情報を受信する。スペクトル割り当て方式は、少なくとも部分的にスペクトル需給情報に基づいて決定される。
【０１１７】
また、本発明の実施例は、情報処理装置によって実行される場合、情報処理装置に本発明の実施例による方法を実行させる実行可能な命令を含むコンピュータ読み取り可能な媒体をさらに含む。
【０１１８】
例として、上記方法の各ステップ及び上記装置の各組立モジュール及び／又はユニットはソフトウェア、ファームウェア、ハードウェア又はその組み合わせとして実施してもよい。ソフトウェア或いはファームウェアで実現する場合、記憶媒体或いはネットワークから専用ハードウェア構造を有するコンピュータ（例えば図２３に示す汎用パーソナルコンピューター２３００）に上記方法を実施するためのソフトウェアを構成するプログラムをインストールし、当該コンピュータは各種のプログラムがインストールされた場合、各種の機能等を実行できる。
【０１１９】
図２３において、演算処理ユニット（即ち、ＣＰＵ）２３０１は、読取専用メモリ（ＲＯＭ）２３０２に記憶されているプログラム或いは記憶部２３０８からランダムアクセスメモリ（ＲＡＭ）２３０３にロードしたプログラムに従って各種の処理を実行する。ＲＡＭ２３０３にも、必要に応じてＣＰＵ２３０１が各種の処理等を実行する際に必要なデータが記憶される。ＣＰＵ２３０１、ＲＯＭ２３０２、ＲＡＭ２３０３はバス２３０４を介して互いにリンクされている。入力／出力インターフェース２３０５もバス２３０４にリンクされている。
【０１２０】
入力部２３０６（キーボード、マウス等を含む）、出力部２３０７（ディスプレイ、例えば、陰極線管（ＣＲＴ）、液晶ディスプレイ（ＬＣＤ）等、スピーカー等を含む）、記憶部２３０８（ハードディスク等を含む）、通信部２３０９（ネットワークインターフェースカード、例えば、ＬＡＮカード、モデム等を含む）は入力／出力インターフェース２３０５に接続される。通信部２３０９は、ネットワーク、例えばインターネットを介して通信処理を実行する。必要に応じて、ドライバー２３１０も入力／出力インターフェース２３０５に接続されてもよい。リムーバブルメディア２３１１、例えば、ディスク、光ディスク、光磁気ディスク、半導体メモリ等は、必要に応じてドライバー２３１０に装着され、その中から読み出したコンピュータプログラムが必要に応じて記憶部２３０８にインストールされるようにする。
【０１２１】
ソフトウェアで上記一連の処理を実現する場合、ネットワーク、例えばインターネット或いは記憶媒体、例えばリムーバブルメディア２３１１からソフトウェアを構成するプログラムをインストールする。
【０１２２】
当業者であれば、このような記憶媒体は、図２３に示す、その中にプログラムが記憶され、装置に別途配分してユーザにプログラムを提供するリムーバブルメディア２３１１に限定されないことが理解できる。リムーバブルメディア２３１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１００２、記憶部２３０８に含まれるハードディスク等であってもよく、その中にプログラムが記憶され、且つこれらを含む装置とともにユーザに配分される。
【０１２３】
本発明の実施例は、さらに、機器読み取り可能なプログラム命令コードを記憶しているプログラム製品に関する。前記命令コードは機器に読み取られて実行される場合に、上記本発明の実施例による方法を実行できる。
【０１２４】
それに対応して、上記した機器読み取り可能な命令コードが記憶されているプログラム製品を搭載するための記憶媒体も本発明の開示に含まれる。上記記憶媒体はフロッピーディスク、光ディスク、光磁気ディスク、メモリカード、メモリースティック等を含むが、これに限られない。
【０１２５】
本出願の実施例は、さらに、以下の電子機器に関する。電子機器を基地局側に応用する場合に、電子機器は、任意のタイプのｇＮＢ又は進化型ノードＢ（ｅＮＢ）、例えばマクロｅＮＢとスモールｅＮＢとして実現してもよい。スモールｅＮＢはマクロセルよりも小さいセルをカバーするｅＮＢ、例えばピコファラドｅＮＢ、マイクロｅＮＢ、ホーム（フェムト）ｅＮＢであってもよい。その代わりに、電子機器は、任意の他のタイプの基地局、例えばＮｏｄｅＢとベーストランシーバ基地局（ＢＴＳ）として実現されてもよい。電子機器は、無線通信を制御するように配置される本体（基地局デバイスとも称する）と、本体と異なる箇所に設置される一つ又は複数のリモート無線ヘッダ（ＲＲＨ）とを含んでもよい。また、以下記述する各種のタイプの端末は、基地局機能を一時又は半恒久的に実行することにより基地局として作動する。
【０１２６】
電子機器をユーザ機器側に応用する場合に、移動端末（例えば、スマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーションデバイス）として実現されてもよい。また、電子機器は、上記端末における端末ごとに取り付けられた無線通信モジュール（例えば、単一又は複数のチップを含む集成回路モジュール）であってもよい。
【０１２７】
［端末装置の応用例について］
図２４は、本開示の内容の技術を応用できるスマートフォン２５００の概略的構成を示すブロック図である。スマートフォン２５００は、プロセッサ２５０１、メモリ２５０２、記憶装置２５０３、外部接続インターフェース２５０４、撮像装置２５０６、センサ２５０７、マイクロフォン２５０８、入力装置２５０９、表示装置２５１０、スピーカー２５１１、無線通信インターフェース２５１２、一つ又は複数のアンテナスイッチ２５１５、一つ又は複数のアンテナ２５１６、バス２５１７、バッテリー２５１８及び補助コントローラ２５１９を含む。
【０１２８】
プロセッサ２５０１は例えばＣＰＵ又はＳｏＣであってもよく、スマートフォン２５００のアプリケーション層とその他の層の機能を制御する。メモリ２５０２はＲＡＭとＲＯＭを含み、データと、プロセッサ２５０１により実行されるプログラムを記憶する。記憶装置２５０３は記憶媒体、例えば半導体メモリとハードディスクを含んでもよい。外部接続インターフェース２５０４は、外部装置（メモリカードとユニバーサル・シリアル・バス（ＵＳＢ））をスマートフォン２５００に接続するためのインターフェースである。
【０１２９】
撮像装置２５０６は画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ２５０７は例えば、測定センサ、ジャイロセンサ、地磁気センサ及び加速度センサなどのセンサ群を含んでもよい。マイクロフォン２５０８はスマートフォン２５００に入力された音声をオーディオ信号に変換する。入力装置２５０９は例えば表示装置２５１０のスクリーン上のタッチを検出するように配置されるタッチセンサ、キーパッド、キーボード、ボタン又はスイッチを含み、ユーザから入力される操作又は情報を受信する。表示装置２５１０はスクリーン（例えば液晶ディスプレイ（ＬＣＤ）、有機発光ダイオード（ＯＬＥＤ）ディスプレイ）を含み、スマートフォン２５００の出力画像を表示する。スピーカー２５１１はスマートフォン２５００から出力されたオーディオ信号を音声に変換する。
【０１３０】
無線通信インターフェース２５１２は任意のセルラー通信方式（例えば、ＬＴＥ、ＬＴＥ−Ａｄｖａｎｃｅｄ）をサポートし、無線通信を実行する。無線通信インターフェース２５１２は、一般に、例えばＢＢプロセッサ２５１３とＲＦ回路２５１４とを含んでもよい。ＢＢプロセッサ２５１３は例えば符号化／復号化、変調／復調及び多重化／逆多重化を実行してもよく、無線通信のための様々な信号処理を実行する。一方、ＲＦ回路２５１４は例えばミキサ、フィルタ及びアンプを含んでもよく、アンテナ２５１６を介して無線信号を送受信する。無線通信インターフェース２５１２はＢＢプロセッサ２５１３とＲＦ回路２５１４を集積した一つのチップモジュールであってもよい。図２４に示すように、無線通信インターフェース２５１２は複数のＢＢプロセッサ２５１３と複数のＲＦ回路２５１４を含んでもよい。図２４は無線通信インターフェース２５１２が複数のＢＢプロセッサ２５１３と複数のＲＦ回路２５１４を含む例を示したが、無線通信インターフェース２５１２は単一のＢＢプロセッサ２５１３又は単一のＲＦ回路２５１４を含んでもよい。
【０１３１】
また、セルラー通信方式を除き、無線通信インターフェース２５１２は他の種類の無線通信方式、例えば近距離無線通信方式、近接無線通信方式又は無線ＬＡＮ（Ｌｏｃａｌ    Ａｒｅａ  Ｎｅｔｗｏｒｋ）方案をサポートしてもよい。この場合、無線通信インターフェース２５１２は無線通信方式ごとのＢＢプロセッサ２５１３とＲＦ回路２５１４を含んでもよい。
【０１３２】
アンテナスイッチ２５１５の各々は、無線通信インターフェース２５１２に含まれる複数の回路（例えば、異なる無線通信方式のための回路）の間でアンテナ２５１６の接続先を切り替える。
【０１３３】
アンテナ２５１６の各々は単一の又は複数のアンテナ素子（例えば、ＭＩＭＯアンテナに含まれる複数のアンテナ素子）を含み、無線通信インターフェース２５１２による無線信号の送受信のために用いられる。図２４に示すように、スマートフォン２５００は複数のアンテナ２５１６を含んでもよい。図２４はスマートフォン２５００が複数のアンテナ２５１６を含む例を示したが、スマートフォン２５００は単一のアンテナ２５１６を含んでもよい。
【０１３４】
また、スマートフォン２５００は各無線通信方式のアンテナ２５１６を含んでもよい。この場合、アンテナスイッチ２５１５はスマートフォン２５００の構成から省略されてもよい。
【０１３５】
バス２５１７は、プロセッサ２５０１、メモリ２５０２、記憶装置２５０３、外部接続インターフェース２５０４、撮像装置２５０６、センサ２５０７、マイクロフォン２５０８、入力装置２５０９、表示装置２５１０、スピーカー２５１１、無線通信インターフェース２５１２及び補助コントローラ２５１９を互いに接続する。バッテリー２５１８は図に破線で部分的に示した支線を介して図２４に示すスマートフォン２５００の各ブロックにパワーを供給する。補助コントローラ２５１９は例えば、スリープモードにおいて、スマートフォン２５００の必要最低限の機能を動作させる。
【０１３６】
図２４に示すスマートフォン２５００において、ユーザ機器側の装置の送受信装置、無線通信インターフェース２５１２により実現されてもよい。ユーザ機器側の電子機器又は情報処理装置の処理回路及び／又は各ユニットの機能の少なくとも一部は、プロセッサ２５０１又は補助コントローラ２５１９により実現されてもよい。例えば、補助コントローラ２５１９がプロセッサ２５０１の一部の機能を実行することでバッテリー２５１８のパワー消費を低減させてもよい。また、プロセッサ２５０１又は補助コントローラ２５１９は、メモリ２５０２あるいは記憶装置２５０３に記憶されているプログラムを実行することで、ユーザ機器側の電子装置又は情報処理装置の処理回路及び／又は各ユニットの機能の少なくとも一部を実行してもよい。
【０１３７】
［基地局の応用例について］
図２５は、本開示の技術を応用できるｇＮＢの概略的構成の例を示すブロック図である。ｇＮＢ２３００は、一つ又は複数のアンテナ２３１０及び基地局デバイし２３２０を含む。基地局デバイス２３２０と各アンテナ２３１０はＲＦケーブルを介して互いに接続されてもよい。
【０１３８】
アンテナ２３１０の各々は、単一の又は複数のアンテナ素子（例えば、多入力多出力（ＭＩＭＯ）アンテナに含まれる複数のアンテナ素子）を含み、基地局デバイス２３２０による無線信号の送受信のために用いられる。ｇＮＢ２３００は、図２５に示すように、複数のアンテナ２３１０を含んでもよい。複数のアンテナ２３１０は、例えばｇＮＢ２３００が使用する複数の周波数帯域に共用してもよい。
【０１３９】
基地局装置２３２０は、コントローラ２３２１、メモリ２３２２、ネットワークインターフェース２３２３、及び無線通信インターフェース２３２５を含む。
【０１４０】
コントローラ２３２１は、例えばＣＰＵ又はＤＳＰであってよく、基地局デバイス２３２０の上位レイヤの様々な機能を操作する。例えば、コントローラ２３２１は、無線通信インターフェース２３２５により処理された信号内のデータからデータパケットを生成し、生成したパケットをネットワークインターフェース２３２３を介して転送する。コントローラ２３２１は、複数のベースバンドプロセッサからのデータをバンドリングすることによりバンドルドパケットを生成し、生成したバンドルドパケットを転送してもよい。また、コントローラ２３２１は、無線リソース管理、無線ベアラ制御、移動性管理、流入制御、及びスケジューリングのような制御を実行する論理的な機能を有してもよい。また、当該制御は、周辺のｇＮＢ又はコアネットワークノードと連携して実行されてもよい。メモリ２３２２は、ＲＡＭ及びＲＯＭを含み、コントローラ２３２１により実行されるプログラム、及び様々な制御データ（例えば、端末リスト、伝送パワーデータ及びスケジューリングデータなど）を記憶する。
【０１４１】
ネットワークインターフェース２３２３は基地局デバイス２３２０をコアネットワーク２３２４に接続するための通信インターフェースである。コントローラ２３２１はネットワークインターフェース２３２３を介してコアネットワークノード又は他のｇＮＢと通信してもよい。この場合、ｇＮＢ２３００とコアネットワークノード又は他のｇＮＢとはロジックインターフェース（例えばＳ１インターフェースとＸ２インターフェース）により互いに接続される。ネットワークインターフェース２３２３は有線通信インターフェース、又は無線バックホールのための無線通信インターフェースであってもよい。ネットワークインターフェース２３２３が無線通信インターフェースであると、ネットワークインターフェース２３２３は無線通信インターフェース２３２５により使用される周波数帯域よりも高い周波数帯域を無線通信に使用してもよい。
【０１４２】
無線通信インターフェース２３２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ２３１０を介して、ｇＮＢ２３００のセル内に位置する端末までの無線接続を提供する。無線通信インターフェース２３２５は、一般、ベースバンド（ＢＢ）プロセッサ２３２６及びＲＦ回路２３２７を含んでもよい。ＢＢプロセッサ２３２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行してもよい。コントローラ２３２１の代わりに、ＢＢプロセッサ２３２６は上記ロジック機能の一部又は全部を有してもよい。ＢＢプロセッサ２３２６は通信制御プログラムを記憶するメモリであってもよく、又はプログラムを実行するように配置されるプロセッサ及び関連する回路を含むモジュールであってもよい。ＢＢプロセッサ２３２６の機能はプログラムの更新により変更可能であってもよい。当該モジュールは基地局デバイス２３２０のスロットに挿入されるカード若しくはブレードであってもよい。その代わりに、当該モジュールはカード若しくはブレードに搭載されるチップであってもよい。一方、ＲＦ回路２３２７は例えばミキサ、フィルタ及びアンプを含んでもよく、アンテナ２３１０を介して無線信号を送受信する。
【０１４３】
図２５に示すように、無線通信インターフェース２３２５は複数のＢＢプロセッサ２３２６を含んでもよい。例えば、複数のＢＢプロセッサ２３２６はｇＮＢ２３００が使用する複数の周波数帯域と共用されてもよい。図２５に示すように、無線通信インターフェース２３２５は複数のＲＦ回路２３２７を含んでもよい。例えば、複数のＲＦ回路２３２７は複数のアンテナ素子に共用されてもよい。図２５は無線通信インターフェース２３２５に複数のＢＢプロセッサ２３２６と複数のＲＦ回路２３２７とを含む例を示したが、無線通信インターフェース２３２５は単一のＢＢプロセッサ２３２６又は単一のＲＦ回路２３２７を含んでもよい。
【０１４４】
図２５に示すｇＮＢ２３００において、基地局側の無線通信装置の送受信装置又は送受信ユニットは、無線通信インターフェース２３２５により実現されてもよい。基地局側の電子機器又は無線通信装置の処理回路及び／又はそれぞれのユニットの機能の少なくとも一部は、コントローラ２３２１により実現されてもよい。例えば、コントローラ２３２１は、メモリ２３２２に記憶されているプログラムを実行することで基地局側の電子機器又は無線通信装置の処理回路及び／又はそれぞれのユニットの機能の少なくとも一部を実行してもよい。
【０１４５】
以上で、本発明の具体的な実施例の記述において、一種の実施形態に対して記述及び／又は示す特徴は、同一又は類似の方式で一つ又は複数の他の実施形態に使用され、他の実施形態における特徴と組合せ、又は他の実施形態における特徴を置き換えることができる。
【０１４６】
なお、用語「含む／包含」は、本文で使用される際に、特徴、要素、ステップ又はコンポーネントの存在を指すが、一つ又は複数の他の特徴、要素、ステップ又はコンポーネントの存在又は添加を排除しない。
【０１４７】
上記の実施例と例において、数字からなる符号を用いてそれぞれのステップ及び／又はユニットを示した。当業者であれば、これらの符号は、記述と製図を便宜に行うためのものであり、その順序又はいかなる他の限定を示すことはないと理解できる。
【０１４８】
また、本発明の方法は、明細書に記述される時間順に従って実行することを限定せず、他の時間順に従って、並行又は独立に実行することも可能である。従って、本明細書に記述される方法の実行順は、本発明の技術的範囲を制限しない。
【０１４９】
以上に本発明の具体的な実施例についての記述で本発明を開示したが、上記の全ての実施例と例は例示的であり、制限的でないと理解すべきである。当業者は付随する特許請求の精神と範囲において、本発明に対する各種の修正、改進又は均等物を設計することができる。これらの修正、改進又は均等物も本発明の保護範囲に該当することは明らかである。
【図１】
2021524172.tif 000003
【図２】
2021524172.tif 000004
【図３】
2021524172.tif 000005
【図４】
2021524172.tif 000006
【図５】
2021524172.tif 000007
【図６】
2021524172.tif 000008
【図７】
2021524172.tif 000009
【図８】
2021524172.tif 000010
【図９】
2021524172.tif 000011
【図１０】
2021524172.tif 000012
【図１１】
2021524172.tif 000013
【図１２】
2021524172.tif 000014
【図１３】
2021524172.tif 000015
【図１４】
2021524172.tif 000016
【図１５】
2021524172.tif 000017
【図１６】
2021524172.tif 000018
【図１７】
2021524172.tif 000019
【図１８】
2021524172.tif 000020
【図１９】
2021524172.tif 000021
【図２０】
2021524172.tif 000022
【図２１】
2021524172.tif 000023
【図２２】
2021524172.tif 000024
【図２３】
2021524172.tif 000025
【図２４】
2021524172.tif 000026
【図２５】
2021524172.tif 000027
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
スペクトル管理のための電子機器であって、
処理回路を含み、前記処理回路は、
１つまたは複数の第１のスペクトル管理ノードにスペクトル需給情報を送信する、及び／又は、前記１つまたは複数の第１のスペクトル管理ノードからスペクトル需給情報を受信するように、制御を行うように配置されており、
前記スペクトル需給情報は、前記電子機器及び／又は前記第１のスペクトル管理ノードによって管理される無線ネットワーク管理ノードのスペクトル需給に関連する電子機器。
【請求項２】
前記スペクトル需給情報は、スペクトル譲渡情報、及びスペクトル需要情報の少なくとも一方を含む請求項１に記載の電子機器。
【請求項３】
前記処理回路は、さらに、
前記スペクトル需給情報に基づいて、前記電子機器及び／又は前記第１のスペクトル管理ノードによって管理される無線ネットワーク管理ノードに対するスペクトル割り当て方式を決定し、
決定されたスペクトル割り当て方式を示す情報を、前記第１のスペクトル管理ノードに送信するように制御を行う、ように配置される請求項１に記載の電子機器。
【請求項４】
前記処理回路は、さらに、
前記第１のスペクトル管理ノードが前記電子機器及び／又は前記第１のスペクトル管理ノードによって管理される無線ネットワーク管理ノードに対して決定したスペクトル割り当て方式の情報を受信するように、制御を行い、
前記第１のスペクトル管理ノードによって決定されたスペクトル割り当て方式を検証する、ように配置される請求項１に記載の電子機器。
【請求項５】
前記処理回路は、
特定のユーザ機器のスペクトル使用を保証するか、又は、前記特定のユーザ機器への干渉が所定の範囲内となる、及び
スペクトル割り当てが前記無線ネットワーク管理ノードのスペクトル需給を満たすという条件に従って、前記第１のスペクトル管理ノードによって決定されるスペクトル割り当て方式を検証するように配置される請求項４に記載の電子機器。
【請求項６】
前記処理回路は、さらに、
前記電子機器によって決定されたスペクトル割り当て方式の情報、又は、前記第１のスペクトル管理ノードによって決定され検証されたたスペクトル割り当て方式の情報を記憶するように、制御を行うように配置される請求項４に記載の電子機器。
【請求項７】
ブロックチェーンの形で前記記憶を行う請求項６に記載の電子機器。
【請求項８】
前記処理回路は、さらに、
特定の時間帯内に複数の新しいスペクトル割り当て方式の情報を受信した場合に、リリース時間が最も早い一つを選択して前記検証を行うように配置される請求項６に記載の電子機器。
【請求項９】
前記処理回路は、さらに、
同じブロック番号の複数の新しいスペクトル割り当て方式の情報を受信した場合に、リリース時間が最も早い１つを選択して前記検証を行うように配置される請求項７に記載の電子機器。
【請求項１０】
前記処理回路は、さらに、
新しいスペクトル割り当て方式の情報を受信したタイムウィンドウ識別子が、現在記憶されているスペクトル割り当て方式の情報のタイムウィンドウ識別子と連続していない場合に、前記第１のスペクトル管理ノードに情報同期の要求を送信するように、制御を行うように配置される請求項６に記載の電子機器。
【請求項１１】
前記処理回路は、さらに、
新しいスペクトル割り当て方式の情報を受信したブロック番号が、現在記憶されているブロックチェーンの番号と連続していない場合に、前記第１のスペクトル管理ノードに情報同期の要求を送信するように、制御を行うように配置される請求項７に記載の電子機器。
【請求項１２】
前記処理回路は、さらに、
所定数のスペクトル割り当て方式の情報を新たに記憶した場合に、前記所定数のスペクトル割り当て方式の情報に先行するスペクトル割り当て方式の情報が指示するスペクトル割り当て方式を、前記電子機器によって管理される無線ネットワーク管理ノードに通知するように、制御を行うように配置される請求項６に記載の電子機器。
【請求項１３】
前記処理回路は、さらに、
所定数のブロックを新たに記憶した場合に、前記所定数のブロックに先行するブロックが指示するスペクトル割り当て方式を、前記電子機器によって管理される無線ネットワーク管理ノードに通知するように、制御を行うように配置される請求項７に記載の電子機器。
【請求項１４】
前記電子機器は、第２のスペクトル管理ノードとして作動する請求項１に記載の電子機器。
【請求項１５】
前記電子機器は、スペクトルアクセスシステムＳＡＳ又は共存マネージャーＣｘＭの側に配置され、且つ、前記無線ネットワーク管理ノードは、市民ブロードバンド無線サービスデバイスＣＢＳＤを含む請求項１に記載の電子機器。
【請求項１６】
前記電子機器は、Ｃ３エンティティの側に配置され、且つ、前記無線ネットワーク管理ノードは、無線アクセスシステムＷＡＳ又は無線ローカルエリアネットワークＲＬＡＮを含む請求項１に記載の電子機器。
【請求項１７】
スペクトル管理方法であって、
第２のスペクトル管理ノードにより、１つまたは複数の第１のスペクトル管理ノードにスペクトル需給情報を送信する、及び／又は、前記１つまたは複数の第１のスペクトル管理ノードからスペクトル需給情報を受信することを含み、
前記スペクトル需給情報は、前記第２のスペクトル管理ノード及び／又は前記第１のスペクトル管理ノードによって管理される無線ネットワーク管理ノードのスペクトル需給に関連するスペクトル管理方法。
【請求項１８】
前記スペクトル需給情報に基づいて、前記第２のスペクトル管理ノード及び／又は前記第１のスペクトル管理ノードによって管理される無線ネットワーク管理ノードに対するスペクトル割り当て方式を決定し、
決定されたスペクトル割り当て方式を示す情報を、前記第１のスペクトル管理ノードに送信する、ことをさらに含む請求項１７に記載の方法。
【請求項１９】
前記第１のスペクトル管理ノードが前記第２のスペクトル管理ノード及び／又は前記第１のスペクトル管理ノードによって管理される無線ネットワーク管理ノードに対して決定したスペクトル割り当て方式の情報を受信し、
前記第１のスペクトル管理ノードによって決定されたスペクトル割り当て方式を検証する、ことをさらに含む請求項１７に記載の方法。
【請求項２０】
無線ネットワーク管理装置であって、
処理回路を含み、前記処理回路は、
スペクトル管理ノードにスペクトル需給情報を送信するように、制御を行い、
前記スペクトル管理ノードからスペクトル割り当て方式を指示する情報を受信するように、制御を行う、ように配置されており、
前記スペクトル割り当て方式は、少なくとも部分的に前記スペクトル需給情報に基づいて決定される無線ネットワーク管理装置。
【国際調査報告】
2021524172.tif 000028
2021524172.tif 000029
2021524172.tif 000030
2021524172.tif 000031